(57)【特許請求の範囲】
【請求項１】
セルロースから形成されたセルロースシートと；ジュート及びココナッツ椰子の繊維のいずれか一方から形成されており、前記セルロースシートに対し重ね合わせた繊維マットと；重ね合わせた前記セルロースシートと前記繊維マットとを縫い合わせる糸と；を有する植生マットを用いて、専らセダム類に属する植物を栽培する方法であって、
台を成す下部基礎の上方に栽培ベッドを所定段数積み上げ、
前記栽培ベッドのそれぞれの上方に、補助ライトと、水及び液肥の何れか一方を散布するためのスプリンクラーとを臨ませ、
積み上げた前記栽培ベッドのそれぞれの上に、前記植生マットを敷設し、
敷設した前記植生マットに、前記セダム類に属する植物を播き、
前記植生マット上の前記植物に対し、前記補助ライトで照らすとともに、前記スプリンクラーで霧状の水又は液肥を吹きつけるようにする
ことを特徴とするセダム類に属する植物の栽培方法。
【請求項２】
セルロースから形成されたセルロースシートと；ジュート及びココナッツ椰子の繊維のいずれか一方から形成されており、前記セルロースシートに対し重ね合わせた繊維マットと；重ね合わせた前記セルロースシートと前記繊維マットとを縫い合わせる糸と；を有する植生マットを用いて、専らセダム類に属する植物を栽培する方法であって、
台を成す下部基礎の上方に栽培ベッドを所定段数積み上げ、
前記栽培ベッドのそれぞれの上方に、水及び液肥の何れか一方を散布するためのスプリンクラーを臨ませ、
積み上げた前記栽培ベッドのそれぞれの上に、前記植生マットを敷設し、
敷設した前記植生マットに対して、前記セダム類に属する植物を播き、
前記植物を覆うように、水透性のカバーを前記植生マットの上方に掛け、
前記植生マット上の前記植物に対し、前記スプリンクラーで霧状の水又は液肥を吹きつけるようにする
ことを特徴とするセダム類に属する植物の栽培方法。
【請求項３】
セルロースから形成されたセルロースシートと；ジュート及びココナッツ椰子の繊維のいずれか一方から形成されており、前記セルロースシートに対し重ね合わせた繊維マットと；重ね合わせた前記セルロースシートと前記繊維マットとを縫い合わせる糸と；を有する植生マットを用いて、専らセダム類に属する植物を栽培する方法であって、
台を成す下部基礎の上方に栽培ベッドを所定段数積み上げ、
前記栽培ベッドのそれぞれの上方に、補助ライトと、水及び液肥の何れか一方を散布するためのスプリンクラーとを臨ませ、
積み上げた前記栽培ベッドのそれぞれの上に、前記植生マットを敷設し、
敷設した前記植生マットに対して、前記セダム類に属する植物を播き、
前記植物を覆うように、水透性のカバーを前記植生マットの上方に掛け、
前記植生マット上の前記植物に対し、前記補助ライトで照らすとともに、前記スプリンクラーで霧状の水又は液肥を吹きつけ、
前記植物の根が前記植生マットに十分に廻り込んだら、当該植生マットを、ロール状に巻き上げて所定の養成畑へ移して育成する
ことを特徴とするセダム類に属する植物の栽培方法。
【請求項４】
専らセダム類に属する植物を栽培するために用いられる栽培システムであって、
台を成す下部基礎の上方に所定段数積み上げられた栽培ベッドと、
セルロースから形成されたセルロースシートと；ジュート及びココナッツ椰子の繊維のいずれか一方から形成されており、前記セルロースシートに対し重ね合わせた繊維マットと；重ね合わせた前記セルロースシートと前記繊維マットとを縫い合わせる糸と；を備え、前記栽培ベッドの各段の上に敷設された植生マットと、
敷設した前記植生マット上に播かれたセダム類に属する植物と、
積み上げた各栽培ベッド上の前記植生マットの上方に臨ませてあり、水及び液肥の何れか一方を散布するためのスプリンクラーと、
積み上げた各栽培ベッド上の前記植生マットの上方に臨ませてある補助ライトと、
当該水透性のカバーで前記植物を覆うように、前記植生マットの上方に掛けられた水透性のカバーと、を有しており、
前記植生マット上の前記植物に対し、前記補助ライトで照らすとともに、前記スプリンクラーで霧状の水又は液肥を吹きつけることによって、前記植物を育成するようになっている
ことを特徴とする栽培システム。
【発明の詳細な説明】
【０００１】
【発明の属する技術分野】
本発明は、植生マットを用いてセダム類に属する植物を栽培するための方法に関する。
【０００２】
【従来の技術】
近年においては、平地や構造物の上をセダム類の植物で緑化する技術が広まっており、それに伴って、マット仕上げによって緑化するような技術も出回りはじめている。この種のマットには、ジュートを織ったものや、ココナッツヤシ繊維を織ったもの等が使用されている態様が多い。
【０００３】
しかしながら、従来のマットでは、台風等の影響を受けやすく、セダム類の植付けが達成し難いといった欠点があった。
【０００４】
そのため、従来では高い確率でセダム類の植付けが出来にくく、年間を通しての生産が出来ないといった不都合さがあり、その結果、生産コストが高くなるといったデメリットがあった。
【０００５】
【発明が解決しようとする課題】
そこで、上述した従来技術の問題点に鑑み、この出願の発明の目的は、セダム類をより早く仕上げることができとともに、高い確率で植付けることができ、しかも、年間を通して良好に生産することができ、且つ、安価に生産することができる栽培方法及び栽培システムを提供することにある。
【０００６】
【課題を解決するための手段】
このような目的は、下記（１）〜（４）に記載の本発明によって達成される。
【０００７】
（１）  セルロースから形成されたセルロースシートと；ジュート及びココナッツ椰子の繊維のいずれか一方から形成されており、前記セルロースシートに対し重ね合わせた繊維マットと；重ね合わせた前記セルロースシートと前記繊維マットとを縫い合わせる糸と；を有する植生マットを用いて、専らセダム類に属する植物を栽培する方法であって、
台を成す下部基礎の上方に栽培ベッドを所定段数積み上げ、
前記栽培ベッドのそれぞれの上方に、補助ライトと、水及び液肥の何れか一方を散布するためのスプリンクラーとを臨ませ、
積み上げた前記栽培ベッドのそれぞれの上に、前記植生マットを敷設し、
敷設した前記植生マットに、前記セダム類に属する植物を播き、
前記植生マット上の前記植物に対し、前記補助ライトで照らすとともに、前記スプリンクラーで霧状の水又は液肥を吹きつけるようにすることを特徴とするセダム類に属する植物の栽培方法。
【０００８】
（２）  セルロースから形成されたセルロースシートと；ジュート及びココナッツ椰子の繊維のいずれか一方から形成されており、前記セルロースシートに対し重ね合わせた繊維マットと；重ね合わせた前記セルロースシートと前記繊維マットとを縫い合わせる糸と；を有する植生マットを用いて、専らセダム類に属する植物を栽培する方法であって、
台を成す下部基礎の上方に栽培ベッドを所定段数積み上げ、
前記栽培ベッドのそれぞれの上方に、水及び液肥の何れか一方を散布するためのスプリンクラーを臨ませ、
積み上げた前記栽培ベッドのそれぞれの上に、前記植生マットを敷設し、
敷設した前記植生マットに対して、前記セダム類に属する植物を播き、
前記植物を覆うように、水透性のカバーを前記植生マットの上方に掛け、
前記植生マット上の前記植物に対し、前記スプリンクラーで霧状の水又は液肥を吹きつけるようにすることを特徴とするセダム類に属する植物の栽培方法。
【０００９】
（３）  セルロースから形成されたセルロースシートと；ジュート及びココナッツ椰子の繊維のいずれか一方から形成されており、前記セルロースシートに対し重ね合わせた繊維マットと；重ね合わせた前記セルロースシートと前記繊維マットとを縫い合わせる糸と；を有する植生マットを用いて、専らセダム類に属する植物を栽培する方法であって、
台を成す下部基礎の上方に栽培ベッドを所定段数積み上げ、
前記栽培ベッドのそれぞれの上方に、補助ライトと、水及び液肥の何れか一方を散布するためのスプリンクラーとを臨ませ、
積み上げた前記栽培ベッドのそれぞれの上に、前記植生マットを敷設し、
敷設した前記植生マットに対して、前記セダム類に属する植物を播き、
前記植物を覆うように、水透性のカバーを前記植生マットの上方に掛け、
前記植生マット上の前記植物に対し、前記補助ライトで照らすとともに、前記スプリンクラーで霧状の水又は液肥を吹きつけ、
前記植物の根が前記植生マットに十分に廻り込んだら、当該植生マットを、ロール状に巻き上げて所定の養成畑へ移して育成することを特徴とするセダム類に属する植物の栽培方法。
【００１０】
（４）  専らセダム類に属する植物を栽培するために用いられる栽培システムであって、
台を成す下部基礎の上方に所定段数積み上げられた栽培ベッドと、
セルロースから形成されたセルロースシートと；ジュート及びココナッツ椰子の繊維のいずれか一方から形成されており、前記セルロースシートに対し重ね合わせた繊維マットと；重ね合わせた前記セルロースシートと前記繊維マットとを縫い合わせる糸と；を備え、前記栽培ベッドの各段の上に敷設された植生マットと、
敷設した前記植生マット上に播かれたセダム類に属する植物と、
積み上げた各栽培ベッド上の前記植生マットの上方に臨ませてあり、水及び液肥の何れか一方を散布するためのスプリンクラーと、
積み上げた各栽培ベッド上の前記植生マットの上方に臨ませてある補助ライトと、
当該水透性のカバーで前記植物を覆うように、前記植生マットの上方に掛けられた水透性のカバーと、を有しており、
前記植生マット上の前記植物に対し、前記補助ライトで照らすとともに、前記スプリンクラーで霧状の水又は液肥を吹きつけることによって、前記植物を育成するようになっていることを特徴とする栽培システム。
【００１１】
［作用］
人口構築物や基礎上に緑化施工を行うに植生マットを用いて栽培するようにし、この際、薄手のシート状のセルロースの紙等に似たマットにセダム類等の種子を散在し、該セルロースシートに対し易分解の糸により補強されるようにしたり更に、該セルロースに対しジュートやココナッツヤシ繊維等の補強マットを易分解の糸等を介し重合し、更にこれらの栽培マットをスプリンクラーを介して多段に重層し、而して、栽培マットの上面には種子やセダム類の茎と葉を散在させてスプリンクラーにより霧状に吸湿状態にし、水循環システムを用いないで、水や水や液肥を霧状に吸湿させて植生マットと各ベットに挟装した植物のみは吸湿状態により１週間ぐらいで発芽し、三週間程度で植物の根が充分にマットに回り込んだ後はロール状に巻き上げて、養生畑に移し、当該養生畑で２週間養生し、出荷するようにしたものである。
【００１２】
【発明の実施の形態】
以下、添付図面に基づいて、本発明に係る各実施形態について詳細に説明する。
【００１３】
〔植生マットの第１実施形態〕
まず最初に、図１〜図３に基づいて、本発明の第１実施形態について説明する。
図１は、第１実施形態に係る植生マット１ａを示す斜視図である。
図２は、図１に示す植生マット１ａを示す部分断面図であって、セルロースシート（セルロース繊維マット）２の上に薄紙４を敷設重合した様子を詳細に示す図である。
図３は、図１に示す植生マット１ａの一部を拡大して示す上面図である。
【００１４】
第１実施形態において、植生マット１ａのセルロースシート２の上面には、図３に示すように、植物の種子（セダム類の種子）６をランダムに散在しておくようにする。
【００１５】
セルロースシート２は、紙類に近く極めて脆いセルロースから形成されている。そこで、セルロースシート２を補強することを目的として、図２に示すように、セルロースシート２の上面に薄紙４を敷設して重合し、さらに易分解性の糸（分解容易な糸）５により縫い合わせて、植生マット１ａ全体の耐久性が良好になるようにする。
【００１６】
以上のようにして、セルロースシート２と薄紙４との間に植物の種子６が散在，挟装された状態の植生マット１ａを構成する。
【００１７】
上述した実施形態によれば、重合する植生マット１ａ（セルロースシート２及び薄紙４）は易分解の糸５により縫い合わせられているために種子６は容易に逸散せず、散在姿勢を保ち発芽、或いは発根が経時的に可能である。
【００１８】
また、このように構成することにより、降雨や台風等による種子６の逸散や流出は確実に防止出来、その発芽植生は保証され経時的に緑化が保証されるものである。
【００１９】
〔植生マットの第２実施形態〕
次に、図４に基づいて、本発明の第２実施形態について説明する。図４は、第２実施形態に係る植生マット１ｂを示す部分断面図であって、図４（イ）〜（ハ）はそれぞれ別の実施態様を示している。
【００２０】
第２実施形態においては、図４（イ）〜（ハ）に示すように、セルロースシート２に対し、この上部，下部，中間にジュートやココナッツ椰子の繊維（繊維マット）７を重合し、さらに、易分解性の糸５により縫い合わせることによって、植生マット１ｂを構成する。
【００２１】
〔植生マットの他の実施形態〕
また、植生マットの他の実施形態としては、例えば、薄膜状のセルロースシートを用意し、当該セルロースシートを易分解性の糸で格子状（図３に示すように）に縫い合わせたものが挙げられる。
【００２２】
〔植生マットを用いた栽培方法〕
次に、図５〜図７に基づいて、植生マット１ｂ（図４参照）を用いたセダム類の栽培方法について説明する。
図５は、本発明に係る栽培方法に従ってセダム類を栽培している様子を示す図である。
図６は、図５に示す実施形態の変形例を示す図である。
図７は、図５に示す実施形態の別の変形例を示す図である。
【００２３】
この実施形態においては、図５に示すように、下部基礎（台）８の上においてベッド（栽培ベッド）９を所定段数積み上げ、各ベッド９上に繊維７を有する植生マット１ｂを敷設する。各段の植生マット１ｂ上には、セダム類（根がついていない茎と葉の部分）を播くようにする。所定段数積み上げられたベッド９の各段の上部には、灌水ライン１０に接続したスプリンクラー１１が在るようにする。
【００２４】
そして、各ベッド９の上部のスプリンクラー１１から霧１２を所定サイクルで散水することによって、植生マット１ｂ上のセダム類（植物）１３に対して水分を供給するようにする。この場合、図６において仮想線で示されるように、各段のベッド９の植生マット１ｂ上のセダム類１３をカバーするように、水透性のカバー１４を掛けてもよい。これにより、セダム類１３の吸湿状態が均一に保持できるといった効果が達成される。
【００２５】
以上のようにして、１週間程度で発根し、次いで、３週間程度でセダム類の根が植生マット１ｂに十分に廻り込む。そして、根が十分に植生マット１ｂに廻り込んだら、植生マット１ｂをロール状に巻きあげて養生畑へ移す。さらに、該養生畑で養成を続けることによって、十分な発根状態が得られ台風等による影響も受けない状態に育成されたら出荷する。
【００２６】
なお、セダム類１３の発根を考慮して、補助ライト１５を図７に示すように配設してもよい。
【００２７】
また、スプリンクラー１１から霧状に吹き付けるものは、必ずしも水に限られず、液肥等でも良い。
【００２８】
また、この出願の発明の実施態様は上述実施形態に示すものに限定されるものでないことは勿論であり、例えば、図４に示す多段式のベッド方式に積層する態様ばかりでなく、水耕栽培方式等も可能ではある等種々の態様が採用可能である。
【００２９】
また、図８に示す様に、セルロースシート２を基板とし、その上部に植生マット１ｂをアンカー１６を介して固定して植生１７を設けるようにしても良い。
【００３０】
【発明の効果】
以上、この出願の発明によれば、植生マットには、ジュートやココナッツヤシ繊維から成る補強マット（繊維マット）を用いるようになっているため、植物（セダム類）の植付けが確実に行われ、速く仕上げることができ、取り扱い性も良く、１年を通しての生産が可能であり、しかも、コストダウンが図れるという優れた効果が奏される。
【００３１】
また、本発明によれば、セルロースに対して、ジュートやココナッツヤシ繊維等の繊維質を重合させて補強するようになっている。その結果、植生マットの強度が増し、良好な取り扱いにより植物の植生が損なわれたり、台風によるダメージを受けることもないという優れた効果が奏される。
【００３２】
また、セルロースシートに重合されるようになっているジュートやココナッツヤシ繊維が容易に入手ができるので、栽培が容易且つ能率良く行われるという効果も奏される。
【図面の簡単な説明】
【図１】第１実施形態に係る植生マットを示す斜視図である。
【図２】図１に示す植生マットの一部を示す側断面図であって、セルロースシートの上に薄紙を敷設重合した様子を詳細に示す図である。
【図３】図１に示す植生マットの一部を拡大して示す上面図である。
【図４】第２実施形態に係る植生マットを示す部分断面図であって、図４（イ）〜（ハ）はそれぞれ別の実施態様を示している。
【図５】本発明に係る栽培方法に従ってセダム類を栽培している様子を示す図である。
【図６】図５に示す実施形態の変形例を示す図である。
【図７】図５に示す実施形態の別の変形例を示す図である。
【図８】本発明の他の実施形態を示す側断面図である。
【符号の説明】
１ａ              植生マット（第１実施形態）
１ｂ              植生マット（第２実施形態）
２                セルロースシート
４                薄紙
５                易分解性の糸
６                植物の種子
７                繊維（繊維マット）
８                下部基礎（台）
９                ベッド
１０              灌水ライン
１１              スプリンクラー
１２              霧
１３              セダム類（植物）
１４              水透性のカバー
１５              補助ライト
１６              アンカー
１７              植生
【図１】
0003619088.tif 000002
【図２】
0003619088.tif 000003
【図３】
0003619088.tif 000004
【図４】
0003619088.tif 000005
【図５】
0003619088.tif 000006
【図６】
0003619088.tif 000007
【図７】
0003619088.tif 000008
【図８】
0003619088.tif 000009